(57)【要約】【課題】異物の侵入による摺動接点部分における電気的不具合の発生を防止する。【解決手段】ダイヤル（ダイヤルベース４１、ダイヤルトップ４２）は軸受部４１ａがベース３９の軸部３９ａ回りに位置して回転可能とされる。軸受部４１ａの上端外周に環状部４１ｂが突出形成され、軸部３９ａの上端外周に環状突出部３９ｂが突出形成され、これら環状突出部３９ｂの下面と環状部４１ｂの上面が摺動接触する構造とする。この摺動接触部ａはダイヤルと押しボタン５３との間の隙間から侵入する異物の侵入方向に対して直交する方向に設けられているため、摺動接点部分に異物が侵入しにくいものとなる。【選択図】図２
2015109166.tif 000002
【特許請求の範囲】
【請求項１】
回転操作されるダイヤルと、前記ダイヤルの中央開口に位置する押しボタンとを有する複合操作型入力装置であって、
円周上に電極パターンが形成されたプリント配線板と、
前記円周の中央に位置して前記プリント配線板上に構成され、前記押しボタンにより押されて操作される中央スイッチと、
前記プリント配線板上に実装され、前記電極パターンと前記中央スイッチとの間の円周上に配置された円筒状の軸部と、前記軸部の上端外周に突出形成された環状突出部とを有するベースと、
円筒状をなす軸受部と、前記軸受部の上端外周に突出形成された環状部と、前記環状部の外周に上方に向かって設けられた周壁部と、前記周壁部の上端に位置して前記中央開口を囲む環状をなす操作部とを有する前記ダイヤルと、
前記環状部の下面に取り付けられ、前記電極パターンと摺動接触する接触子を有する接点部材とを具備し、
前記ダイヤルは前記軸受部が前記軸部の回りに位置して前記軸部回りに回転可能とされ、
前記環状突出部の下面は前記環状部の上面と摺動接触する構造とされていることを特徴とする複合操作型入力装置。
【請求項２】
請求項１記載の複合操作型入力装置において、
前記環状突出部は環状をなす突条を下面に備え、前記突条が前記環状部の上面と摺動接触する構造とされていることを特徴とする複合操作型入力装置。
【請求項３】
請求項１又は２記載の複合操作型入力装置において、
前記ダイヤルは前記周壁部において上下に二分されて二部品よりなり、
前記操作部は前記周壁部の上端内周に突出するように形成されていることを特徴とする複合操作型入力装置。
【請求項４】
請求項３記載の複合操作型入力装置において、
前記押しボタンに前記操作部の内面と対向する環状の平板部が一体形成され、
前記操作部の内面と前記平板部に環状をなす突部が互い違いになるように形成されていることを特徴とする複合操作型入力装置。
【請求項５】
請求項１乃至４記載のいずれかの複合操作型入力装置において、
前記環状突出部の外周面に周方向に凹凸が形成され、
前記凹凸と接触するばねが前記環状部の上面に配置されていることを特徴とする複合操作型入力装置。
【請求項６】
請求項１乃至５記載のいずれかの複合操作型入力装置において、
前記中央スイッチは前記プリント配線板に形成された中央固定接点と、前記中央固定接点上に配置されたドーム状をなす中央可動接点とよりなり、
前記中央可動接点はカバーシートによって被われていることを特徴とする複合操作型入力装置。
【請求項７】
請求項１乃至６記載のいずれかの複合操作型入力装置において、
複数の周辺スイッチが前記電極パターンの回りに配列されて前記プリント配線板上に構成され、
前記周辺スイッチは前記ダイヤルの傾倒操作によりプッシャを介して前記ダイヤルの周壁部の外周に一体形成されている環状押圧部に押されて操作されることを特徴とする複合操作型入力装置。
【請求項８】
請求項７記載の複合操作型入力装置において、
前記周辺スイッチは前記プリント配線板に形成された周辺固定接点と、前記周辺固定接点上に配置されたドーム状をなす周辺可動接点とよりなり、
前記周辺可動接点はカバーシートによって被われていることを特徴とする複合操作型入力装置。
【請求項９】
請求項７又は８記載の複合操作型入力装置において、
前記プッシャは、前記電極パターンと前記周辺スイッチとの間の円周上に配置されて前記プリント配線板上に接着固定された環状固定部と、前記環状固定部の外周に突出形成された複数の支持部と、前記支持部に変位可能に支持されて前記各周辺スイッチ上に配置された押圧部とよりなり、
前記環状固定部の上面に全周に渡って溝が形成され、
前記ダイヤルに前記溝に入り込む環状突部が形成されていることを特徴とする複合操作型入力装置。
【発明の詳細な説明】
【技術分野】
【０００１】
この発明は回転操作されるダイヤルと、ダイヤルの中央開口に位置する押しボタンとを有する複合操作型の入力装置に関する。
【背景技術】
【０００２】
図１１は複合操作型入力装置の従来例として特許文献１に記載されている構成を示したものである。この例では複合操作型入力装置は所定の電極パターン及び固定接点が形成されたベース１１と、可動接点１２と、押えシート１３と、プッシャ１４と、接点部材１５と、感触用のバネ（図１１では隠れて見えない）と、回転体１６と、カバー１７と、ボタン１８と、操作部材１９とによって構成されている。
【０００３】
ベース１１の中央には円筒状をなす軸部１１ａが突設されており、この軸部１１ａ回りに回転体１６が取り付けられている。回転体１６の下面には接点部材１５が取り付けられている。ベース１１には上方からカバー１７が被せられており、回転体１６はカバー１７によって抜け止めされている。回転体１６の円筒部１６ａはカバー１７の開口１７ａに位置されている。
【０００４】
ボタン１８はカバー１７の開口１７ａから突出している回転体１６の円筒部１６ａ内に入れ込まれており、操作部材１９は回転体１６に取り付けられて一体化されている。ボタン１８はその大径部１８ａが操作部材１９によって抜け止めされて操作部材１９の開口１９ａに位置され、その押圧突起１８ｂがベース１１の内部底面に構成されている中央スイッチ２１の可動接点１２上の押えシート１３と当接されている。中央スイッチ２１は可動接点１２とベース１１の内部底面に形成されている固定接点２１ａ，２１ｂとによって構成されている。
【０００５】
接点部材１５の摺動子（図１１では隠れて見えない）はベース１１の内部底面に形成されているロータリエンコーダ用接点２２と接触されており、これら摺動子とロータリエンコーダ用接点２２とでロータリエンコーダが構成されている。
【０００６】
ベース１１の内部底面の周辺の４箇所には周辺スイッチ２３が構成されている。周辺スイッチ２３は中央スイッチ２１と同様、可動接点１２とベース１１の内部底面に形成されている固定接点２３ａ，２３ｂ（２３ｂは隠れて見えない）とによって構成されている。プッシャ１４は周辺スイッチ２３上に位置されており、プッシャ１４の段部１４ａ上に回転体１６のフランジ部１６ｂの外周側が位置されている。
【０００７】
この複合操作型入力装置では、操作部材１９が回転操作されると、接点部材１５が取り付けられている回転体１６が一体に回転し、摺動子がロータリエンコーダ用接点２２上を移動する。この移動を電気的に検出することによって操作部材１９の回転が検出される。
【０００８】
ボタン１８が押し込まれると、その押圧突起１８ｂによって中央スイッチ２１の可動接点１２が押圧操作されて中央スイッチ２１がＯＮとなる。押圧が解除されると、可動接点１２の復元力によってボタン１８は元の位置に復帰し、中央スイッチ２１はＯＦＦとなる。
【０００９】
一方、操作部材１９を押し、傾倒操作することにより、その傾倒側の周辺スイッチ２３を操作することができる。操作部材１９の傾倒操作により回転体１６は操作部材１９と一体に傾倒し、これによりプッシャ１４を介して周辺スイッチ２３の可動接点１２が押圧操作されて周辺スイッチ２３がＯＮとなる。操作部材１９への押圧を解除すると、可動接点１２の復元力によってプッシャ１４、回転体１６及び操作部材１９は元の位置に復帰し、周辺スイッチ２３はＯＦＦとなる。
【００１０】
なお、操作部材１９の傾倒動作は、ベース１１の軸部１１ａの周面と対向する回転体１６の開口部１６ｃの径が上方に向かって徐々に拡径されていること及び回転体１６のフランジ部１６ｂとカバー１７との間に断面くさび状のスペースが確保されていることによって可能となっている。
【先行技術文献】
【特許文献】
【００１１】
【特許文献１】特開２０１１−２１０５２８号公報
【発明の概要】
【発明が解決しようとする課題】
【００１２】
ところで、この種の複合操作型入力装置では、回転操作されるダイヤル及びダイヤルの中央開口に位置する押しボタンは外部環境に露出しているため、ダイヤルと押しボタンとの間の隙間から塵等の異物が侵入しやすい構造となっている。
【００１３】
一方、異物の侵入による影響は摺動子がロータリエンコーダ用接点（電極パターン）と摺動接触する摺動接点部分において特に大きく、つまりこの摺動接点部分では接点部材は何ら防護されていないため、異物が侵入すると異物の付着等によって電気的不具合が生じやすいといった問題がある。
【００１４】
この問題に関し、図１１に示した従来の複合操作型入力装置の構造では、摺動接点部分への異物侵入経路は図１１中に矢印で示したように、外部からの異物侵入方向に対してほぼその方向に沿う直線的な経路となっているため、異物が摺動接点部分に侵入しやすい構造となっている。
【００１５】
この発明の目的はこのような問題に鑑み、摺動接点部分に異物が侵入しにくい構造とし、よって電気的不具合の発生を防止し、信頼性に優れた複合操作型入力装置を提供することにある。
【課題を解決するための手段】
【００１６】
請求項１の発明によれば、回転操作されるダイヤルと、ダイヤルの中央開口に位置する押しボタンとを有する複合操作型入力装置は、円周上に電極パターンが形成されたプリント配線板と、前記円周の中央に位置してプリント配線板上に構成され、押しボタンにより押されて操作される中央スイッチと、プリント配線板上に実装され、前記電極パターンと中央スイッチとの間の円周上に配置された円筒状の軸部と、軸部の上端外周に突出形成された環状突出部とを有するベースと、円筒状をなす軸受部と、軸受部の上端外周に突出形成された環状部と、環状部の外周に上方に向かって設けられた周壁部と、周壁部の上端に位置して前記中央開口を囲む環状をなす操作部とを有するダイヤルと、前記環状部の下面に取り付けられ、前記電極パターンと摺動接触する接触子を有する接点部材とを具備し、ダイヤルは軸受部が前記軸部の回りに位置して前記軸部回りに回転可能とされ、前記環状突出部の下面は前記環状部の上面と摺動接触する構造とされる。
【００１７】
請求項２の発明では請求項１の発明において、前記環状突出部は環状をなす突条を下面に備え、突条が前記環状部の上面と摺動接触する構造とされる。
【００１８】
請求項３の発明では請求項１又は２の発明において、ダイヤルは周壁部において上下に二分されて二部品よりなり、前記操作部は周壁部の上端内周に突出するように形成されているものとされる。
【００１９】
請求項４の発明では請求項３の発明において、押しボタンに前記操作部の内面と対向する環状の平板部が一体形成され、前記操作部の内面と平板部に環状をなす突部が互い違いになるように形成されているものとされる。
【００２０】
請求項５の発明では請求項１乃至４のいずれかの発明において、前記環状突出部の外周面に周方向に凹凸が形成され、凹凸と接触するばねが前記環状部の上面に配置されているものとされる。
【００２１】
請求項６の発明では請求項１乃至５のいずれかの発明において、中央スイッチはプリント配線板に形成された中央固定接点と、中央固定接点上に配置されたドーム状をなす中央可動接点とよりなり、中央可動接点はカバーシートによって被われているものとされる。
【００２２】
請求項７の発明では請求項１乃至６のいずれかの発明において、複数の周辺スイッチが前記電極パターンの回りに配列されてプリント配線板上に構成され、周辺スイッチはダイヤルの傾倒操作によりプッシャを介してダイヤルの周壁部の外周に一体形成されている環状押圧部に押されて操作されるものとされる。
【００２３】
請求項８の発明では請求項７の発明において、周辺スイッチはプリント配線板に形成された周辺固定接点と、周辺固定接点上に配置されたドーム状をなす周辺可動接点とよりなり、周辺可動接点はカバーシートによって被われているものとされる。
【００２４】
請求項９の発明では請求項７又は８の発明において、プッシャは、前記電極パターンと周辺スイッチとの間の円周上に配置されてプリント配線板上に接着固定された環状固定部と、環状固定部の外周に突出形成された複数の支持部と、支持部に変位可能に支持されて各周辺スイッチ上に配置された押圧部とよりなり、環状固定部の上面に全周に渡って溝が形成され、ダイヤルに前記溝に入り込む環状突部が形成されているものとされる。
【発明の効果】
【００２５】
この発明によれば、ベースは軸部の上端外周に環状突出部を備え、ダイヤルはベースの軸部回りに位置する軸受部の上端外周に環状部を備え、これら環状突出部の下面と環状部の上面が摺動接触する構造となっている。
【００２６】
ダイヤルと押しボタンとの間の隙間からの異物侵入は避けられないものの、上述したベースの環状突出部とダイヤルの環状部の摺動接触部は異物の侵入方向に対して直交する方向に設けられているため、このような摺動接触部の存在により、この発明では接触子が電極パターンと摺動接触する摺動接点部分に異物が侵入しにくく、よって摺動接点部分における電気的不具合の発生を防止することができ、信頼性に優れた複合操作型入力装置を実現することができる。
【図面の簡単な説明】
【００２７】
【図１】Ａはこの発明による複合操作型入力装置の実施例１の外観構成を示す平面図、Ｂはその正面図。
【図２】図１ＡのＣＣ線拡大断面図。
【図３】図１ＡのＤＤ線拡大断面図。
【図４】図１に示した複合操作型入力装置の上方から見た分解斜視図。
【図５】図１に示した複合操作型入力装置の下方から見た分解斜視図。
【図６】図１に示した複合操作型入力装置の傾倒動作状態を示す断面図。
【図７】この発明による複合操作型入力装置の実施例２の構成を示す断面図。
【図８】Ａはこの発明による複合操作型入力装置の実施例３の外観構成を示す平面図、Ｂはその正面図。
【図９】図８ＡのＣＣ線拡大断面図。
【図１０】Ａは図９におけるプッシャの上方から見た斜視図、Ｂはその下方から見た斜視図。
【図１１】複合操作型入力装置の従来例を示す断面図。
【発明を実施するための形態】
【００２８】
この発明の実施形態を図面を参照して実施例により説明する。
【実施例１】
【００２９】
図１はこの発明による複合操作型入力装置の実施例１の外観を示したものであり、図２及び３はその断面構造を示したものである。また、図４及び５は各部に分解して示したものである。
【００３０】
この例では複合操作型入力装置は金属プレート３１と、両面テープ３２と、フレキシブルプリント配線板３３と、ドーム接点３４と、カバーシート３５，３６と、プッシャ３７と、接点部材３８と、ベース３９と、ダイヤルベース４１と、ダイヤルトップ４２と、ばね５１と、両面テープ５２と、押しボタン５３とによって構成されている。まず、図４及び５を参照して主要各部の構成を説明する。
【００３１】
金属プレート３１は方形状をなし、その４隅にはこの複合操作型入力装置の取り付け固定用の穴３１ａが形成され、さらに位置決め用の穴３１ｂ，３１ｃが形成されている。また、各部の組み立てに使用する穴３１ｄ，３１ｅが形成されている。
【００３２】
フレキシブルプリント配線板３３は円形部３３ａと、その円形部３３ａから延長形成されたケーブル部３３ｂとよりなる。円形部３３ａの中央には円形パターンと環状パターンとよりなる中央固定接点３３ｃが形成され、この中央固定接点３３ｃを囲む円周上には中央固定接点３３ｃと同様、円形パターンと環状パターンとよりなる周辺固定接点３３ｄが形成されている。周辺固定接点３３ｄはこの例では９０°間隔で配列されて４つ形成されている。また、周辺固定接点３３ｄが配列されている円周と中央固定接点３３ｃとの間にはロータリエンコーダ用の電極パターン３３ｅが円周に沿って配列されて形成されている。
【００３３】
カバーシート３５は円形をなし、カバーシート３６はカバーシート３５を囲むリング形状をなす。なお、これらカバーシート３５，３６、フレキシブルプリント配線板３３及び両面テープ３２には金属プレート３１の穴３１ｄ，３１ｅと対応する穴３５ａ，３６ａ，３３ｆ，３３ｇ，３２ａ，３２ｂが図４，５に示したように形成されている。
【００３４】
プッシャ３７はリング形状とされ、９０°間隔で配列された４つの固定部３７ａの各間に弾性変形可能な梁３７ｂが設けられ、さらに各梁３７ｂの中央に押圧部３７ｃが設けられた形状とされている。４つの固定部３７ａの下面にはそれぞれボス３７ｄが突出形成されている。
【００３５】
接点部材３８はリング形状をなし、その周方向３箇所には接触子３８ａが切り起こされて形成されている。また、穴３８ｂが３箇所に形成されている。
【００３６】
ダイヤルベース４１は円筒状をなす軸受部４１ａと、軸受部４１ａの上端外周に突出形成された環状部４１ｂと、環状部４１ｂの外周に上方に向かって設けられた周壁部４１ｃとを備え、さらにこの例では周壁部４１ｃの上端外周にフランジ部４１ｄが突出形成され、フランジ部４１ｄの下面に環状押圧部４１ｅが突出形成されている。
【００３７】
環状部４１ｂの下面にはボス４１ｆが周方向に配列されて３つ突出形成され、上面にはボス４１ｇが２つ突出形成されている。また、フランジ部４１ｄには穴４１ｈが周方向に配列されて３つ形成されている。なお、軸受部４１ａの内径は下方に向かって徐々に拡径されており（図２参照）、軸受部４１ａの内面はテーパ形状をなすものとされている。
【００３８】
ダイヤルトップ４２は周壁部４２ａと、周壁部４２ａの上端に位置して中央開口４２ｂを囲む環状をなす操作部４２ｃと、周壁部４２ａの下端外周に突出形成されたフランジ部４２ｄとを有する。操作部４２ｃは周壁部４２ａの上端内周に突出するように形成されており、操作部４２ｃの上面には突起４２ｅが周方向に配列されて形成されている。また、フランジ部４２ｄの下面にはボス４２ｆが周方向に配列されて３つ突出形成されている。なお、中央開口４２ｂは上端から下端に向かって径が増大するテーパ形状をなすものとされている。
【００３９】
押しボタン５３は上端が閉塞された円筒部５３ａと、円筒部５３ａの下端外周に突出形成されたフランジ部５３ｂと、円筒部５３ａの閉塞された上端の裏面中央に突出形成された柱状部５３ｃと、柱状部５３ｃを挟んで円筒部５３ａの閉塞された上端の裏面に突出形成された一対の脚部５３ｄとを有する。一対の脚部５３ｄの下端には互いに外向きに爪５３ｅが突出形成されている。なお、各脚部５３ｄの上半部は連結部５３ｆによって円筒部５３ａの内周面と連結一体化されている。柱状部５３ｃは円柱の周面に軸方向に延びるキーが突出形成された形状とされている。キーは細い角柱状とされ、円柱の下端近くまで設けられている。
【００４０】
ベース３９は円筒状の軸部３９ａと、軸部３９ａの上端外周に突出形成された環状突出部３９ｂとを有し、環状突出部３９ｂは上方に延びる周壁を外周に備えている。環状突出部３９ｂの外周面には凹凸３９ｃが周方向に配列されて形成されており、環状突出部３９ｂの下面には突条３９ｄ（図２参照）が環状に形成されている。
【００４１】
ベース３９は中央に押しボタン５３の柱状部５３ｃが挿入される穴形状を有する筒状部３９ｅを備え、筒状部３９ｅはその軸方向中間部が軸部３９ａの上端に設けられた上板部３９ｆによって支持されている。上板部３９ｆには押しボタン５３の一対の脚部５３ｄが挿入される一対の穴３９ｇ（図３参照）が形成されており、一対の穴３９ｇが形成されている位置にそれぞれ対応して軸部３９ａの内周面には溝３９ｈが軸方向に形成されている。なお、軸部３９ａの下面にはボス３９ｉが周方向に配列されて３つ突出形成されている。
【００４２】
ばね５１は両端が延ばされて、その先端にフック部５１ａが設けられたコイルばねとされている。
【００４３】
各部の組み立ては以下のようにして行われる。
【００４４】
フレキシブルプリント配線板３３の円形部３３ａを両面テープ３２により金属プレート３１上に固定する。この時、金属プレート３１の各穴３１ｄ，３１ｅと、フレキシブルプリント配線板３３の各穴３３ｆ，３３ｇ及び両面テープ３２の各穴３２ａ，３２ｂの位置が一致される。
【００４５】
フレキシブルプリント配線板３３の中央固定接点３３ｃ上に中央可動接点をなすドーム接点３４を配置して中央スイッチ６１を構成し、４つの周辺固定接点３３ｄ上にそれぞれ周辺可動接点をなすドーム接点３４を配置して周辺スイッチ６２を構成する。中央スイッチ６１上にはカバーシート３５が被され、４つの周辺スイッチ６２上にはカバーシート３６が被される。これらカバーシート３５，３６によりドーム接点３４は所定の位置に位置決め固定されると共に、中央スイッチ６１及び周辺スイッチ６２が保護される。なお、カバーシート３５，３６の穴３５ａ，３６ａの位置は、フレキシブルプリント配線板３３の穴３３ｆ，３３ｇの位置と一致される。
【００４６】
次に、プッシャ３７をカバーシート３６上に搭載する。プッシャ３７の４つのボス３７ｄはカバーシート３６の穴３６ａ及び穴３６ａの位置と一致されているフレキシブルプリント配線板３３、両面テープ３２、金属プレート３１の各穴３３ｇ，３２ｂ，３１ｅに挿入され、これによりプッシャ３７はカバーシート３６上に位置決め配置される。プッシャ３７の各押圧部３７ｃは周辺スイッチ６２上に位置される。
【００４７】
次に、ダイヤルベース４１の環状部４１ｂの下面に接点部材３８を取り付け、環状部４１ｂの上面にばね５１を取り付ける。接点部材３８の取り付けは環状部４１ｂの下面に形成されている３つのボス４１ｆを接点部材３８の穴３８ｂに挿入し、ボス４１ｆの先端を熱かしめすることによって行われる。ばね５１の取り付けは環状部４１ｂの上面に形成されている２つのボス４１ｇにばね５１の両端のフック部５１ａを引っ掛けた後、ボス４１ｇを熱かしめし、フック部５１ａを抜け止めすることによって行われる。
【００４８】
次に、ダイヤルベース４１の軸受部４１ａにベース３９の軸部３９ａを挿入し、ダイヤルベース４１内にベース３９を位置させた状態で、ベース３９の軸部３９ａの下面に形成されている３つのボス３９ｉをカバーシート３５の穴３５ａ及び穴３５ａの位置と一致されているフレキシブルプリント配線板３３、両面テープ３２、金属プレート３１の各穴３３ｆ，３２ａ，３１ｄに挿入する。３つのボス３９ｉのうち、１つは位置決め用とされ、残る２つのボス３９ｉの先端が熱かしめされることによってカバーシート３５上にベース３９が搭載固定される。
【００４９】
ベース３９の軸部３９ａは中央スイッチ６１と電極パターン３３ｅとの間の円周上に位置し、接点部材３８の接触子３８ａはフレキシブルプリント配線板３３の電極パターン３３ｅ上に位置する。ダイヤルベース４１はベース３９の軸部３９ａ回りに回転可能とされる。なお、ダイヤルベース４１の環状押圧部４１ｅはプッシャ３７の押圧部３７ｃ上に位置され、ばね５１はベース３９の凹凸３９ｃに弾性変形可能に接触される。
【００５０】
次に、押しボタン５３の柱状部５３ｃ及び一対の脚部５３ｄをそれぞれベース３９の筒状部３９ｅ及び穴３９ｇに挿入して押しボタン５３をベース３９に取り付ける。押しボタン５３は一対の脚部５３ｄの下端の爪５３ｅがベース３９の上板部３９ｆに引っ掛かることによって抜け止めされる。押しボタン５３の柱状部５３ｃは中央スイッチ６１上に位置される。
【００５１】
次に、ダイヤルトップ４２をダイヤルベース４１に取り付ける。取り付けはダイヤルトップ４２のフランジ部４２ｄとダイヤルベース４１のフランジ部４１ｄを両面テープ５２によって接着固定することによって行われる。この際、ダイヤルトップ４２の３つのボス４２ｆは両面テープ５２の穴５２ａを介してダイヤルベース４１の穴４１ｈに挿入される。
【００５２】
以上により組み立てが完了し、図１〜３に示した複合操作型入力装置が完成する。押しボタン５３はダイヤルトップ４２の中央開口４２ｂに位置される。
【００５３】
上記のような構成とされた複合操作型入力装置ではダイヤルトップ４２が回転操作されると、接触子３８ａが電極パターン３３ｅ上を移動し（接触摺動し）、この移動を電気的に検出することによってダイヤルトップ４２の回転が検出される。なお、この際、ベース３９の凹凸３９ｃと接触しているばね５１によって回転操作感触が得られるものとなっている。
【００５４】
押しボタン５３が押し下げ操作されると、その柱状部５３ｃによって中央スイッチ６１のドーム接点３４が押されて中央スイッチ６１がＯＮとなる。押し下げ操作が解除されると、ドーム接点３４の復元力によって押しボタン５３は元の位置に復帰し、中央スイッチ６１はＯＦＦとなる。
【００５５】
一方、ダイヤルトップ４２を押し、傾倒操作することにより、ダイヤルベース４１の環状押圧部４１ｅ及びプッシャ３７の押圧部３７ｃを介して傾倒側の周辺スイッチ６２のドーム接点３４が押されて周辺スイッチ６２がＯＮとなる。図６はこの様子を示したのである。ダイヤルトップ４２の傾倒操作はベース３９の軸部３９ａ回りに位置するダイヤルベース４１の軸受部４１ａの内面がテーパ形状とされていることによって可能となっている。
【００５６】
ダイヤルトップ４２への傾倒操作が解除されると、ドーム接点３４、プッシャ３７の梁３７ｂの復元力によって押圧部３７ｃ、ダイヤルベース４１及びダイヤルトップ４２は元の位置に復帰し、周辺スイッチ６２はＯＦＦとなる。
【００５７】
次に、この複合操作型入力装置の防塵性能について説明する。図２，３中、矢印はダイヤルトップ４２と押しボタン５３との間の隙間から侵入する塵等の異物の侵入経路を示したものであり、異物はダイヤルベース４１内に侵入する。
【００５８】
しかしながら、この例では、ダイヤルベース４１はその環状部４１ｂの上面がベース３９の環状突出部３９ｂの下面に設けられている突条３９ｄと摺動接触する構造となっており、即ち図２，３中に破線で囲んで示した摺動接触部ａを有するものとなっている。
【００５９】
この摺動接触部ａは異物侵入方向に対して直交する方向に設けられているため、この摺動接触部ａには異物は侵入しにくく、よってこのような摺動接触部ａの存在により、この例では接触子３８ａが電極パターン３３ｅと摺動接触する摺動接点部分に異物が侵入しにくいものとなっている。
【実施例２】
【００６０】
次に、この発明による複合操作型入力装置の実施例２の構成について説明する。
【００６１】
実施例１ではダイヤルは周壁部において上下に二分され、ダイヤルトップ４２とダイヤルベース４１の二部品よりなるものとされていたが、実施例２ではダイヤルは一部品によって構成される。図７は実施例２の構成を示したものであり、図７中、４０はダイヤルを示す。なお、実施例１の構成と対応する部分には同一符号を付してある。
【００６２】
この例ではダイヤル４０の環状部４１ｂの上面にばね５１を取り付ける作業を行いやすくするため、図７に示したようにダイヤル４０の操作部４２ｃは周壁部４２ａの内周から突出しないようにする必要があり、この点で実施例１に比し、操作部４２ｃの面積が小さくなる。
【００６３】
用途に応じてこのような構成を採用することもできるが、ダイヤルの操作部の面積を大きく確保しつつ、複合操作型入力装置全体の小型化を図る上では実施例１のようにダイヤルを二部品で構成する方が好ましい。
【実施例３】
【００６４】
次に、この発明による複合操作型入力装置の実施例３の構成について説明する。
【００６５】
図８は外観を示したものであり、図９は断面構造を示したものである。実施例１と対応する部分には同一符号を付してある。
【００６６】
この例では押しボタン５３’に小径のフランジ部５３ｂに替え、ダイヤルトップ４２’の操作部４２ｃの内面と対向する大径の環状の平板部５３ｇが一体形成され、操作部４２ｃの内面と平板部５３ｇに環状をなす突部４２ｇ，５３ｈが互い違いになるように形成される。突部４２ｇ，５３ｈは同心円をなし、この例ではそれぞれ２つ形成されている。
【００６７】
このような突部４２ｇ，５３ｈを設けることにより、ダイヤルトップ４２’と押しボタン５３’との間の隙間から侵入する異物の侵入経路を極めて長くすることができ、よってダイヤルベース４１’、さらには摺動接点部分に至る異物を大幅に低減することができる。
【００６８】
一方、プッシャ３７’はこの例では図１０に示したような形状を有するものとされ、環状固定部３７’ｅと、環状固定部３７’ｅの外周に９０°間隔で突出形成された４つの支持部３７’ｆと、隣接する支持部３７’ｆに弾性変形可能な梁３７’ｂを介して支持された４つの押圧部３７’ｃとよりなる。環状固定部３７’ｅの上面には全周に渡って溝３７’ｇが形成され、下面には周方向に配列されて４つのボス３７’ｄが突出形成されている。
【００６９】
環状固定部３７’ｅは図９に示したように、周辺スイッチ６２とフレキシブルプリント配線板３３のロータリエンコーダ用接点をなす電極パターンとの間の円周上に配置され、両面テープ５４によってカバーシート３６上に接着固定される。各押圧部３７’ｃは周辺スイッチ６２上に位置される。
【００７０】
ダイヤルベース４１’の周壁部４１ｃはダイヤルトップ４２の周壁部４２ａより小径とされ、フランジ部４１ｄにはプッシャ３７’の環状固定部３７’ｅの溝３７’ｇに入り込む環状突部４１ｉが形成されている。なお、プッシャ３７’の押圧部３７’ｃ上に位置される環状押圧部４１ｅはフランジ部４１ｄの外周に１段下がって設けられた段部４１ｊに形成され、段部４１ｊの外周には周壁４１ｋが下方に突出して形成されている。
【００７１】
異物はダイヤルトップ４２’と押しボタン５３’との間の隙間から特に侵入しやすく、複合操作型入力装置において機器の筐体内等に収容される部分からの侵入は一般的には少ない。しかしながら、この例では上述したようなプッシャ３７’とダイヤルベース４１’の形状を採用し、かつプッシャ３７’の環状固定部３７’ｅをカバーシート３６上に接着固定したことにより、複合操作型入力装置の側方からの異物の侵入を低減することができるものとなっており、その点でより信頼性に優れた複合操作型入力装置を得ることができる。
【００７２】
以上、この発明の各種実施例について説明したが、ダイヤル（ダイヤルトップ）の傾倒操作によって操作される周辺スイッチはない構成であってもよい。
【００７３】
ベース３９は環状突出部３９ｂの下面に環状の突条３９ｄを１本備えているが、突条３９ｄを複数本設けてもよく、また突条３９ｄがない構成としてもよい。但し、摺動接触部ａの摺動抵抗を低減する上で突条３９ｄを設けるのが好ましい。
【符号の説明】
【００７４】
１１  ベース                            １１ａ  軸部
１２  可動接点                          １３  押えシート
１４  プッシャ                          １４ａ  段部
１５  接点部材                          １６  回転体
１６ａ  円筒部                          １６ｂ  フランジ部
１６ｃ  開口部                          １７  カバー
１７ａ  開口                            １８  ボタン
１８ａ  大径部                          １８ｂ  押圧突起
１９  操作部材                          １９ａ  開口
２１  中央スイッチ                      ２１ａ，２１ｂ  固定接点
２２  ロータリエンコーダ用接点          ２３  周辺スイッチ
２３ａ，２３ｂ  固定接点                ３１  金属プレート
３１ａ〜３１ｅ  穴                      ３２  両面テープ
３２ａ，３２ｂ  穴                      ３３  フレキシブルプリント配線板
３３ａ  円形部                          ３３ｂ  ケーブル部
３３ｃ  中央固定接点                    ３３ｄ  周辺固定接点
３３ｅ  電極パターン                    ３３ｆ，３３ｇ  穴
３４  ドーム接点                        ３５，３６  カバーシート
３５ａ，３６ａ  穴                      ３７，３７’  プッシャ
３７ａ  固定部                          ３７ｂ，３７’ｂ  梁
３７ｃ，３７’ｃ  押圧部                ３７ｄ，３７’ｄ  ボス
３７’ｅ  環状固定部                    ３７’ｆ  支持部
３７’ｇ  溝                            ３８  接点部材
３８ａ  接触子                          ３８ｂ  穴
３９  ベース                            ３９ａ  軸部
３９ｂ  環状突出部                      ３９ｃ  凹凸
３９ｄ  突条                            ３９ｅ  筒状部
３９ｆ  上板部                          ３９ｇ  穴
３９ｈ  溝                              ３９ｉ  ボス
４０  ダイヤル                          ４１，４１’  ダイヤルベース
４１ａ  軸受部                          ４１ｂ  環状部
４１ｃ  周壁部                          ４１ｄ  フランジ部
４１ｅ  環状押圧部                      ４１ｆ，４１ｇ  ボス
４１ｈ  穴                              ４１ｉ  環状突部
４１ｊ  段部                            ４１ｋ  周壁
４２，４２’  ダイヤルトップ            ４２ａ  周壁部
４２ｂ  中央開口                        ４２ｃ  操作部
４２ｄ  フランジ部                      ４２ｅ  突起
４２ｆ  ボス                            ４２ｇ  突部
５１  ばね                              ５１ａ  フック部
５２  両面テープ                        ５２ａ  穴
５３，５３’  押しボタン                ５３ａ  円筒部
５３ｂ  フランジ部                      ５３ｃ  柱状部
５３ｄ  脚部                            ５３ｅ  爪
５３ｆ  連結部                          ５３ｇ  平板部
５３ｈ  突部                            ５４  両面テープ
６１  中央スイッチ                      ６２  周辺スイッチ
【図１】
2015109166.tif 000003
【図２】
2015109166.tif 000004
【図３】
2015109166.tif 000005
【図４】
2015109166.tif 000006
【図５】
2015109166.tif 000007
【図６】
2015109166.tif 000008
【図７】
2015109166.tif 000009
【図８】
2015109166.tif 000010
【図９】
2015109166.tif 000011
【図１０】
2015109166.tif 000012
【図１１】
2015109166.tif 000013